(57)【要約】マットレス（１２）はカバー（５０）の内領域（６０）を形成する側壁（５４）を含むカバー（５０）、カバー（５０）の側壁（５４）と一体的の第一クッション（４８）、およびカバー（５０）の内領域（６０）内に位置決めされる第二クッション（２０）を含む。
2004513678.tif 000002
【特許請求の範囲】
【請求項１】
内領域を形成する側壁を含むカバー、
前記カバーの側壁と一体的の第一クッション、および
前記カバーの内領域内に位置決めされる第二クッションを含む、ベッドのデッキ上に使用するマットレス。
【請求項２】
前記第一クッションは加圧流体を受けるのことのできる内領域を形成する外壁を含む、請求項１のマットレス。
【請求項３】
前記第一クッションの外壁は上壁および下壁を含み、かつ前記下壁は前記カバーの内領域を形成するために前記カバーの側壁と共働する、請求項２のマットレス。
【請求項４】
前記第一クッションの上壁は前記カバーの側壁に一体化されている、請求項３のマットレス。
【請求項５】
前記第一クッションは前記第一クッションの内領域内に複数のポケットを形成するために前記上壁と下壁間に延在するバッフルを更に含む、請求項３のマットレス。
【請求項６】
前記第一クッションの外壁の上壁は患者支持面を形成している、請求項３のマットレス。
【請求項７】
前記第一クッションの外壁は上壁および前記カバーの側壁は単一片の材料により形成されている、請求項３のマットレス。
【請求項８】
前記カバーは前記側壁に連結された下壁を更に含み、かつ前記第二クッションは前記カバーの下壁と前記第一クッションと間に位置決めされている、請求項１のマットレス。
【請求項９】
前記カバーの下壁は前記側壁と一体的である、請求項８のマットレス。
【請求項１０】
前記第二クッションは前記第一クッションと前記ベッドのデッキとの間に位置決めされている、請求項１のマットレス。
【請求項１１】
前記第二クッションは一層の弾性材を含む、請求項１のマットレス。
【請求項１２】
内領域を形成する外壁を有するカバー、
第一クッションを形成するめに前記カバーの外壁に連結された内壁、および
前記カバーの内領域内に位置決めされる第二クッションを含み、
前記カバーの外壁は、介護人が前記開口部から前記第二クッションを前記カバーの内領域へ挿入するのを可能にするために、前記第二クッションを受けることのできる開口部を含む、ベッドのデッキ上に使用するマットレス。
【請求項１３】
前記カバーの外壁は加圧気体を受けることのできる前記第一クッションの内領域を形成するために前記内壁と共働する上壁、および前記カバーの内領域を形成するために前記内壁と共働する側壁を含む、請求項１２のマットレス。
【請求項１４】
前記上壁は前記側壁と一体的である、請求項１３のマットレス。
【請求項１５】
前記内壁は前記側壁に連結されている、請求項１３のマットレス。
【請求項１６】
前記外壁は前記カバーの内領域を形成するために側壁および前記側壁と共働する下壁を含む、請求項１２のマットレス。
【請求項１７】
前記外壁内の開口部は前記下壁に形成されている、請求項１６のマットレス。
【請求項１８】
前記下壁は前記側壁に実質的垂直である、請求項１６のマットレス。
【請求項１９】
前記下壁は前記第二クッションと前記デッキとの間に位置決めされている、請求項１６のマットレス。
【請求項２０】
ファスナを更に含み、前記ファスナは前記ベッドおよび前記カバーの内領域内に位置決めされる前記第二クッションに連結され、かつ前記ファスナは前記カバー内の開口部へ延在する、請求項１２のマットレス。
【請求項２１】
内領域を形成する外壁を有するカバーを含む膨張自在マットレス部、および
前記カバーの内領域内に位置決めされたクッションを含む、ベッドのデッキ上に使用されるマットレス。
【請求項２２】
前記膨張自在マットレス部はブラダを含み、かつ前記クッションは前記ブラダと前記ベッドのデッキとの間に位置決めされている、請求項２１のマットレス。
【請求項２３】
前記カバーの外壁は側壁を含み、かつ前記ブラダは周辺を含み、かつ前記側壁は前記ブラダの周辺に連結されてそこから下方へ延在する、請求項２２のマットレス。
【請求項２４】
前記カバーは下壁を含み、かつ前記クッションは前記ブラダと前記下壁との間に位置決めされている、請求項２３のマットレス。
【請求項２５】
前記下壁、側壁、およびブラダは一体化されている、請求項２４のマットレス。
【請求項２６】
前記外壁は上壁および側壁を含み、前記膨張自在マットレス部は内壁を含み、かつ前記上壁および内壁は膨張自在ブラダを形成するために共働する、請求項２１のマットレス。
【請求項２７】
前記カバーの外壁は前記カバーの内領域への前記クッションの挿入を可能にする寸法の開口部を含む、請求項２１のマットレス。
【請求項２８】
膨張を可能にするために前記膨張自在マットレス部に連結されたノズルを更に含む、請求項２１のマットレス。
【請求項２８】
内領域を形成する外壁を有するカバー、
前記カバーの内領域内に位置決めされるクッション、および
加圧流体を受けることのできる内領域を形成する外壁を有する膨張自在ブラダを含み、
前記膨張自在ブラダの外壁は前記カバーの外壁と共通である、ベッドのデッキ上に使用するマットレス。
【請求項２９】
前記膨張自在ブラダの外壁は前記カバーの外壁に連結された上壁および下壁を含む、請求項２８のマットレス。
【請求項３０】
前記クッションは前記膨張自在ブラダと前記ベッドのデッキとの間に位置決めされている、請求項２８のマットレス。
【請求項３１】
前記カバーの外壁は前記カバーの内領域を形成するために共働する側壁および下壁を含む、請求項２８のマットレス。
【請求項３２】
前記下壁は前記クッションと前記デッキとの間に位置決めされている、請求項３１のマットレス。
【請求項３３】
前記カバーの外壁は上壁を更に含み、前記膨張自在ブラダの外壁は前記膨張自在ブラダの内領域を形成するために共働する上壁および下壁を含む、請求項３１のマットレス。
【請求項３４】
前記カバーの上壁および前記膨張自在ブラダの上壁は共通である、請求項３３のマットレス。
【請求項３５】
前記カバーの上壁および前記カバーの側壁は単一片の材料により形成されている、請求項３３のマットレス。
【請求項３６】
カバーの内領域を形成する外壁を含むカバー、
前記カバーの内領域内に位置決めされるクッション、および
前記ベッドのデッキに前記クッションを連結できるファスナを含み、
前記ファスナは前記ベッドのデッキへ前記クッションを連結するために前記カバーの外壁内の開口部へ延在する、ベッドのデッキ上に使用するマットレス。
【請求項３７】
前記カバーの外壁は前記外壁内に前記開口部を形成するエッジを含み、かつ前記ファスナは前記カバーの外壁のエッジから離隔している、請求項３６のマットレス。
【請求項３８】
前記カバーの外壁は上壁、下壁、および前記上壁と前記下壁との間に延在する側壁を含む、請求項３６のマットレス。
【請求項３９】
前記クッションは前記カバーの上壁と下壁との間に位置決めされている、請求項３８のマットレス。
【請求項４０】
前記カバーの下壁は前記開口部を含む、請求項３８のマットレス。
【請求項４１】
前記カバーの外壁は前記クッションの１／２の幅よりも大きい開口部の幅を形成するエッジを含む、請求項３６のマットレス。
【請求項４２】
前記ファスナは前記外壁のエッジから離隔している、請求項４１のマットレス。
【請求項４３】
ベッド上に位置する患者に弾性支持体を提供する構成の再使用可能クッション、および
ベッド上に位置する患者に弾性支持体を提供できる構成の使い捨てマットレス部を含み、
前記使い捨てマットレス部は、患者がベッド上に居るときに前記再使用可能クッションを前記カバー内に位置決めできるように、再使用可能クッションのまわりに適合する寸法のカバーを含み、
前記再使用可能クッションは、前記使い捨てマットレス部の除去および前記使い捨てマットレス部と同一の他の使い捨てマットレス部との交換を促進するために、前記カバーの内領域内から容易に除去可能であり、それにより前記使い捨てマットレス部が連続的に取り替えられるときに患者から患者への再使用を可能にする、ベッドのデッキ上に使用するマットレス。
【請求項４４】
前記使い捨てマットレス部は膨張自在である、請求項４３のマットレス。
【請求項４５】
前記使い捨てマットレス部は前記カバーと一体的なブラダを含む、請求項４３のマットレス。
【請求項４６】
前記ブラダは、前記再使用可能クッションが前記カバーの内領域内に位置決めされるときに前記再使用可能クッション上に位置決めされている、請求項４５のマットレス。
【請求項４７】
内領域を形成する外壁を含むブラダ、
一層の弾性材、および
前記一層の弾性材と前記ブラダとの間に位置決めされる一層の三次元構造材を含む、ベッドのデッキ上に使用するマットレス。
【請求項４８】
前記一層の三次元構造材は複数の弾性中空突起を含むように形成された繊維網を含む、請求項４７のマットレス。
【請求項４９】
前記突起は円錐形である、請求項４８のマットレス。
【請求項５０】
使い捨てクッションならびに実質的同一の第一および第二使い捨てマットレス部を有するマットレスを用意する工程、
前記再使用可能クッションへ前記第一使い捨てマットレス部を連結し、他方で前記第二使い捨てマットレス部を前記再使用可能クッションから離隔する工程
前記第一使い捨てマットレス部を前記第二使い捨てマットレス部と交換する工程、および
前記第一使い捨てマットレス部を除去する工程を含む、ベッドのデッキ上でマットレスを位置決めしかつ交換する方法。
【請求項５１】
前記連結する工程が前記再使用可能クッションの周りに前記第一使い捨てマットレス部の一部をラップすることを含む、請求項５０の方法。
【請求項５２】
前記ベッドのデッキへ前記再使用可能クッションを連結する工程を更に含む、請求項５１の方法。
【請求項５３】
前記交換する工程が前記第一使い捨てマットレス部の内領域から前記再使用可能クッションを除去しかつ前記再使用可能クッションを前記第二使い捨てマットレス部の内領域へ挿入することを含む、請求項５１の方法。
【発明の詳細な説明】
【０００１】
［発明の背景および概要］
本発明は患者支持体に関する。更に詳細には、本発明はマットレス上に居る患者を支持できる形態の患者支持体用マットレスに関する。
【０００２】
患者支持体は、しばしば、介護施設で患者の治療または回復時に使用される。患者支持体は典型的には患者を支持するためにデッキを有するベッドフレームおよびデッキ上に位置決めされるマットレスを含む。
【０００３】
本発明によれば、マットレスはベッドのデッキ上に使用するために設けられる。マットレスはカバー、第一クッション、および第二クッションを含む。カバーはカバーの内領域を形成する側壁を含む。第一クッションはカバーの側壁に一体化され、かつ第二クッションはカバーの内領域内に位置決めされる。
【０００４】
本発明の好適形態によれば、マットレスは内壁を更に含み、かつカバーは膨張自在の第一クッションを形成するために内壁に連結された外壁を含む。カバーの外壁は第二クッションを受けることのできる開口部を含んでいて、介護人による前記開口部から開口部の内領域への第二クッションの挿入を可能にする。マットレスは、更に、第二クッションをベッドのデッキへ連結するために前記開口部にファスナを含む。第二クッションは三次元構造材による層を含む。
【０００５】
本開示の他の特徴は、添付図面を参照して次に説明する詳細な説明を検討することにより当業者に理解されるであろう。
【０００６】
［発明の詳細な説明］
本発明の詳細な説明は添付図面を参照する。
【０００７】
携帯ベッドまたはストレッチャ１０が図１に示されている。ストレッチャ１０はマットレス支持セクション１１およびマットレス支持セクション１１上に位置決めされる使い捨てマットレスセクション１２を含み、マットレスセクション１２は介護提供者によりストレッチャ１０のマットレス支持セクション１１に連結できるようになっている。使用後に、マットレスセクション１２の使い捨て部は廃棄されかつマットレスセクション１２の他の部は新規使い捨て部と共に再使用される。
【０００８】
ストレッチャ１０は腹臥ベッド（図示せず）に連結できる。腹臥（ｐｒｏｎｉｎｇ）ベッドはストレッチャ１０およびその上の患者を回転させて、患者を上方および下方に対面する位置間または上下方向間のいずれかに対面する位置へ移動させる。マットレス支持セクション１１は周辺フレーム１４、および一連のヒンジ１８およびラッチ１９により周辺フレーム１４へ枢軸回転自在に連結されてデッキ２１を形成する一連のパネル１６を含む。患者が下方対面位置になるときに、一つまたはそれ以上のパネル１６はそれぞれのラッチ１９を移動させかつそれぞれのヒンジを中心にパネル１６を移動させることにより開放する。パネル１６の開放はストレッチャ１０を除去することなく患者の頭部上の位置から患者の背中へのアクセスを可能にする。適宜腹臥ベッドの説明はＰＣＴ出願番号ＰＣＴ／ＵＳ９９／１４５２５号にあり、その開示は参考としてここに組み込まれることを明記する。マットレスセクション１２は、また、他のベッド形態に使用できる。
【０００９】
ストレッチャ１０はマットレスセクション１２に類似の追加マットレスセクション（図示せず）を含み、ストレッチャ１０がストレッチャ１０上に居る人に対して弾性支持面を提供するようにできる。図１に示されたように、マットレスセクション１２は再使用可能マットレス下部またはクッション２０、および下クッション２０上に位置決めされる使い捨てマットレス上部２２を含む。図３に示されたように、マットレス上部２２は下クッション２０のまわりを被覆して、マットレス上部材２２が下クッション２０を覆うようにできる。本開示の現在好適な形態によれば、マットレス上部２２は膨張自在である。本開示の他の形態によれば、マットレス上部はフォームまたは他の弾性材を含む。
【００１０】
マットレスセクション１２がパネル１６に連結される前に、マットレス上部２２は下クッション２０のまわりにラップされる。そのようにして、マットレスセクション１２はパネル１６に連結されてそこに居る患者に支持体を提供する。患者をストレッチャ１０から移動させた後に、マットレスセクション１２がパネル１６から除去され、かつ下クッション２０がマットレス上部２２から除去される。そこで、マットレス上部２２は廃棄される。しかし、マットレスセクション１２が次の患者に使用できるように、下クッション２０が保持かつ清掃され、かつ実質的同一のマットレス上部２２が下クッション２０上に位置決めされる。
【００１１】
マットレスセクション１２をパネル１６上に位置決めするために、介護提供者は第一にマットレス上部２２内に下クッション２０を位置決めする。下クッション２０がマットレス上部２２内に確実に位置決めされた後に、下クッション２０およびパネル１６の両方に連結された一対のファスナ３６が一緒にスナップ留めされる。下クッション２０がそのようにしてパネル１６に固定され、かつマットレス上部２２が下クッション２０のまわりにラップされるので、マットレス上部２２はマットレスセクション支持体１１へ固定される。
【００１２】
図２−３に示されたように、下クッション２０はフォームによる下層２４、フォーム中間層２６、およびフォーム中間層２６の上に位置決めされたフォーム上層２８を含む。各層２４，２６，２８の硬度またはＩＬＤは上層から下層の順に大きくなり、上層２８は最も柔軟なフォーム層でありかつフォーム下層２４は最も硬質なフォーム層である。このようにして、下クッション２０は深さに応じて硬度勾配が増加する。
【００１３】
下クッション２０は更にフォーム上層２８上に位置決めされ三次元構造材による層３０を含む。三次元構造材層３０は、ベース３１、および図３に例示されたような円錐台形の複数の弾性中空突起を含むように形成された繊維網で形成される。適宜三次元構造材に関する説明は、Ｋｉｍ他に対して１９９８年３月２４日に発行されたＵＳ特許第５７３１０６２号、およびＲｏｍａｎｏ他により１９９９９年５月６日に出願されたＵＳ特許出願第０９／３０６６０１号に記載されており、その開示はここに参考として組み込まれることを明記する。下クッション２０は更に、図２に例示されたように、フォーム下層２４、中間層２６、上層２８、および三次元構造材層３０の周辺に延びた難燃層３２を含む。
【００１４】
下クッション２０は、また、図２−３に例示されたように、フォーム下層２４、中間層２６、上層２８、三次元構造材層３０、および難燃層３２を覆う拭き取り可能機能材（ｗｉｐａｂｌｅ ｔｉｃｋｉｎｇ ｍａｔｅｒｉａｌ）３４を含む。各使用後に、拭き取り可能機能材３４は次の使用のために消毒できるように介護人により洗濯される。
【００１５】
各ファスナ３６は好適にはスナップであり、かつ下クッション２０の拭き取り可能機能材３４に連結された上部３８、およびパネル１６に連結された下部４０を含む。下クッション２０をパネル１６へ連結するために、図３に例示されたように、使用者はファスナ３６の上部３８をファスナ３６の下部４０へ結合する。
【００１６】
図３に示されたように、マットレス上部２２は外壁４２、内壁４４、内外壁４４，４２間に延びた複数のバッフル４６、および外壁４２に連結されたノズル４７を含む。内壁４４の周辺は外壁４２に溶接されてブラダまたは上クッション４８を形成する。膨張時に、ブラダ４８はマットレスセクション１２上に居る人に対して支持体を提供する。ブラダ４８は、ノズル４７に連結された加圧空気源（図示せず）を使用して膨張させる。ブラダ４８は下クッション２０のマットレス上部２２への挿入前または挿入後に膨張させてよい。上壁５２は、ブラダ４８を低空気損失ブラダにするために、ブラダ４８の所定量の空気漏れを可能にする。好適には、上壁５２は、マットレス上部２２が０−１８インチ（約０−４５．７ｃｍ）の範囲の水圧まで膨張するときに０．０３０インチ（約０．０７６ｃｍ）の直径を有する１２個のマイクロベント５９を含む。
【００１７】
好適形態によれば、六個のバッフル４６がブラダ４８内に七個のポケット４９を形成する。他の形態によれば、更に少数または多数のバッフルが設けられてブラダを更に少数または多数のポケットに分割する。本開示の現在好適な形態によれば、バッフル４６および内壁４４は５ミリ（ｍｍ）のウレタン材により形成される。
【００１８】
外壁４２は、また、図３に示されたように、下クッション２０を部分的に包囲するカバー５０を有する。外壁４２は、図３に例示されたように、各バッフル４６に溶接された上壁５２、上壁５２に一体化された周辺側壁５４、および側壁５４に一体化された下壁５６を含む。上壁５２、周辺側壁５４、および下壁５６はカバー５０の内領域６０を形成し、マットレスセクション１２の使用時にそこへ下クッション２８が位置決めされる。ブラダ４８は、また、上壁５２、および上壁５２に溶接された下壁５８を含む。このようにして、ブラダ４８およびカバー５０は上壁５２を共有する。
【００１９】
側壁５４は第一、第二、第三、および第四パネル６２，６４，６６，６８を含む。第一および第三パネル６２，６６は、図３に例示されたように、上壁５２および下壁５６に一体化される。第二および第四パネル６４，６８は上壁５２に溶接されかつ下壁５６に一体化される。第二および第四パネル６４，６８は、また、第一および第三パネル６２，６６に溶接されて側壁５４のコーナー６９を形成する。
【００２０】
カバー５０の下壁５６は第一、第二、第三、および第四フラップ７０，７２，７４，７６を含む。第一および第三フラップ７０，７４は、図３に示されたように、それぞれ第一および第三パネル６２，６６に一体化される。第二および第四フラップ７２，７６はそれぞれ第二および第四パネル６４，６８に一体化される。第二および第四フラップ７２，７６は第一および第二フラップ７０，７４に溶接されて下壁５６のコーナーシーム７７を形成する。このようにして、図示形態において、第一フラップ７０、第一パネル６２、上壁５２、第三パネル６６、および第三フラップ７４は均一片の材料から形成される。現在好適な形態によれば、この材料は、Ｓｅｃｕｒｏｎブランド名で販売されているコットンの風合いの不織プラスチック材である。
【００２１】
第一、第二、第三、および第四不織繊維７０，７２，７４，７６は各々が下壁５６内の開口部８０を形成するエッジ７８を含む。ファスナ３６はエッジ７８から離隔しかつ開口部８０へ延びて下クッション２０をデッキパネル１６へ連結する。介護人は下クッション２０を開口部８０から摺動させて下クッション２０をマットレス上部２２へ挿入する。同様に、下クッション２０は開口部８０から下クッションを引っ張ることによりマットレス上部２２から除去できる。このように、マットレス上部２２は上に居る患者に支持体を提供しかつ下クッション２０に対する保護を提供する使い捨て可能な膨張自在のクッション兼カバーの組み合わせ体を提供し、かつ下クッション２０は再使用可能患者支持体を提供する。
【００２２】
本発明は好適形態について詳細に説明されているが、特許請求の範囲に記載の本発明の範囲および精神において種々の変更および改変が可能である。
【図面の簡単な説明】
【図１】
周辺フレーム、多パネルデッキ、および使い捨てマットレスセクションを有する腹臥ベッドに使用するストレッチャの斜視図である。
【図２】
図１のマットレスセクションの分解図であって、デッキの二つのパネル上に位置決めされる下クッションおよび下クッション上に位置決めされるマットレス上部を示す。
【図３】
図２の３−３線に沿った断面図であって、マットレス上部内に位置決めされる下クッションを示す。
【国際公開パンフレット】
2004513678.tif 000003
2004513678.tif 000004
2004513678.tif 000005
2004513678.tif 000006
2004513678.tif 000007
2004513678.tif 000008
2004513678.tif 000009
2004513678.tif 000010
2004513678.tif 000011
2004513678.tif 000012
2004513678.tif 000013
2004513678.tif 000014
2004513678.tif 000015
2004513678.tif 000016
2004513678.tif 000017
2004513678.tif 000018
2004513678.tif 000019
【国際公開パンフレット（コレクトバージョン）】
2004513678.tif 000020
2004513678.tif 000021
【国際調査報告】
2004513678.tif 000022
2004513678.tif 000023
2004513678.tif 000024
2004513678.tif 000025
2004513678.tif 000026